(57)【要約】【課題】本発明の課題は、生産コストが低い吸着治具を提供することである。【解決手段】本発明に係る吸着治具は、吸引源に連通されてテストオブジェクトを吸着するために用いられる。互いに対向する第一面及び第二面にそれぞれ積載凹部及び吸着凹部が設けられ、前記積載凹部と前記吸着凹部との間に接続孔が設けられ、前記積載凹部、前記吸着凹部及び前記接続孔が同軸上に設けられる吸着部と、前記吸着部の側面に設けられ、且つ前記接続孔に連通する通気孔が設けられる少なくとも１つの接続部と、前記積載凹部に載置されて前記接続孔を密封する透光板と、を備える。【選択図】図３
2011232327.tif 000002
【特許請求の範囲】
【請求項１】
吸引源に連通されてテストオブジェクトを吸着するために用いられる吸着治具であって、
互いに対向する第一面及び第二面にそれぞれ積載凹部及び吸着凹部が設けられ、前記積載凹部と前記吸着凹部との間に接続孔が設けられ、前記積載凹部、前記吸着凹部及び前記接続孔が同軸上に設けられる吸着部と、
前記吸着部の側面に設けられ、且つ前記接続孔に連通する通気孔が設けられる少なくとも１つの接続部と、
前記積載凹部に載置されて前記接続孔を密封する透光板と、
を備えることを特徴とする吸着治具。
【請求項２】
前記接続部は、前記第一面及び前記第二面に直交し且つ前記吸着部から離れている接続面を備え、前記通気孔は、前記接続面から前記接続孔に向かって、前記接続面に直交するように延在することを特徴とする請求項１に記載の吸着治具。
【請求項３】
前記吸着治具は、２つの接続部を備え、前記２つの接続部は、前記吸着部の互いに対向する両側に位置することを特徴とする請求項２に記載の吸着治具。
【請求項４】
前記吸着部の第二面の吸着凹部の周囲には、弾性材料が設けられていることを特徴とする請求項１に記載の吸着治具。
【発明の詳細な説明】
【技術分野】
【０００１】
本発明は、吸着治具に関する。
【背景技術】
【０００２】
一般的に、レンズは成形された後又はレンズモジュールの組立を完成した後、その光学性能をテストすることを必要とする。レンズの光学性能をテストする場合、図１に示したように、レンズ２０を保持装置１０に固定して直接、テストする。前記保持装置１０は、２つの保持部材１１を備える。前記レンズ２０を安定して固定させるために前記レンズ２０の両側には前記保持部材１１に対応する２つの保持部１３が増設される。しかし、前記保持部１３の増加に伴い、前記レンズ２０の生産コストが高くなる。又、前記保持装置１０の保持部材１１で前記レンズ２０を固定していることにより、前記レンズ２０を損傷し易いため、前記レンズ２０の生産コストを増加させる。レンズモジュール及び他の被検査物に対してテストする際、同じ問題が存在する。
【発明の概要】
【発明が解決しようとする課題】
【０００３】
本発明の目的は、上記の問題を解決するために、生産コストが低い吸着治具を提供することである。
【課題を解決するための手段】
【０００４】
前記目的を達成するため、本発明に係る吸着治具は、吸引源に連通されてテストオブジェクトを吸着するために用いられる。互いに対向する第一面及び第二面にそれぞれ積載凹部及び吸着凹部が設けられ、前記積載凹部と前記吸着凹部との間に接続孔が設けられ、前記積載凹部、前記吸着凹部及び前記接続孔は同軸上に設けられる吸着部と、前記吸着部の側面に設けられ、且つ前記接続孔に連通する通気孔が設けられる少なくとも１つの接続部と、前記積載凹部に載置されて前記接続孔を密封する透光板と、を備える。
【発明の効果】
【０００５】
本発明に係る吸着治具は、吸引源に連通されて吸着方式でテストオブジェクトを固定するため、保持部を省略してテストオブジェクトの損傷を防ぐことができ、且つ生産コストを低減することができる。
【図面の簡単な説明】
【０００６】
【図１】従来の保持装置の構造を示す図である。
【図２】本発明の実施形態に係る吸着治具の構造を示す立体図である。
【図３】図２に示す吸着治具の分解図である。
【図４】図２に示す吸着治具の別の視角からの立体図である。
【図５】図２に示す吸着治具のＩＶ−ＩＶ線に沿った断面図である。
【発明を実施するための形態】
【０００７】
以下、図面を参照して、本発明の実施形態について説明する。
【０００８】
図２を参照すると、本発明に係る吸着治具３０は、吸着部１２と、前記吸着部１２の両側に位置する２つ接続部１４と、透光板１６と、を備える。
【０００９】
図３及び図４を参照すると、前記吸着部１２は、互いに対向する第一面１２０及び第二面１２２を備える。前記第一面１２０には、方形を呈する積載凹部１２１が設けられている。前記第二面１２２には、円形を呈する吸着凹部１２３が設けられている。前記積載凹部１２１と前記吸着凹部１２３との間には、円筒形を呈する接続孔１２４が設けられている。前記積載凹部１２１、前記吸着凹部１２３及び前記接続孔１２４は、同軸上に設けられる。前記透光板１６は、前記積載凹部１２１に対応する方形を呈し、前記積載凹部１２１に載置されて前記接続孔１２４を密封するために用いられる。
【００１０】
図４及び図５を参照すると、前記接続部１４は、略方形を呈する。前記接続部１４は、前記第一面１２０及び前記第二面１２２に直交し且つ前記吸着部１２から離れている接続面１４０を備える。前記接続孔１２４に連通する通気孔１４２が、前記接続面１４０の中央位置から前記接続孔１２４に向かって前記接続面１４０に直交するように延在する。
【００１１】
前記吸着治具３０を使用する時、前記通気孔１４２を真空ポンプなどのような吸引源に接続する。前記透光板１６によって前記接続孔１２４を密封するため、前記吸着治具３０は前記吸着凹部１２３によってレンズ４０を吸着することができる。前記吸着治具３０が前記レンズ４０を吸着していることにより、保持部（図示せず）を省略できるため、生産コストが低くなる。又、前記吸引源は、前記吸着部１２の両側に位置する接続部１４によって前記吸着治具３０に接続するため、光線は前記透光板１６を通過してから前記レンズ４０に入射し、前記レンズ４０に対してテストを行うことができる。
【００１２】
前記接続部１４を介して、前記吸引源を前記吸着治具３０の側面に接続するので、前記吸着治具３０で前記レンズ４０を吸着するとともに前記レンズ４０に対してテストを行うことができる。前記接続部１４の数量は、本実施方式のように２個に限定されるものではない。
【００１３】
前記吸着治具３０が前記吸引源に接続していることにより、十分な吸着力を有するために各々の接続部１４には、１つの通気孔１４２が設けられるが、実際の需要によって、ただ１つの接続部１４に１つの通気孔１４２が設けてもよい。又、前記通気孔１４２を前記接続面１４０に設けることに限定されるものではなく、前記通気孔１４２と前記接続孔１２４とを連通させて、前記レンズ４０を吸着することができさえすればよい。
【００１４】
真空吸着装置を採用する場合、前記透光板１６と前記レンズ４０との間に塵がない真空領域が形成されるので、前記透光板１６と前記レンズ４０との間に塵があることによる前記レンズ４０のテスト結果への影響を避けることができる。
【００１５】
前記第二面１２２の吸着凹部１２３の周囲には、ゴムなどのような弾性材料１８が設けられている。前記レンズ４０を吸着する時、前記弾性材料１８が緩衝機能を発揮するため、前記レンズ４０の損傷を防ぐことができる。
【００１６】
前記吸着治具３０は、本実施方式のようにレンズ４０を吸着することに限定されるものではなく、レンズモジュール又は他のテストしようとするテストオブジェクトを吸着することもできる。
【００１７】
以上、本発明を実施形態に基づいて具体的に説明したが、本発明は、上述の実施形態に限定されるものではなく、その要旨を逸脱しない範囲において、種々の変更が可能であることは勿論であって、本発明の保護範囲は、添付の特許請求の範囲によって決まる。
【符号の説明】
【００１８】
１０  保持装置
１１  保持部材
１２  吸着部
１３  保持部
１４  接続部
１６  透光板
１８  弾性材料
２０、４０  レンズ
３０  吸着治具
１２０  第一面
１２１  積載凹部
１２２  第二面
１２３  吸着凹部
１２４  接続孔
１４０  接続面
１４２  通気孔
【図１】
2011232327.tif 000003
【図２】
2011232327.tif 000004
【図３】
2011232327.tif 000005
【図４】
2011232327.tif 000006
【図５】
2011232327.tif 000007